(57)【要約】      （修正有）【課題】真空掃除機の吸引管に着脱自在に取付けた状態で屋外での清掃対象物を清掃するために適したアタッチメントを提供する。【解決手段】真空掃除機の吸引管に着脱自在に取付けられるアタッチメントであり、吸い込まれる気流の上流側に清掃対象物に臨む吸口部３を設け、下流側に前記吸引管に連結される連結部４を設けた構成において、前記吸口部３と連結部４の間に小粒物Ｐの通過を阻止するストレーナ５を設けると共に、該ストレーナ５と前記吸口部３の間に小粒物の滞留室６を設けており、前記連結部４を備えた管体７と、前記滞留室６及び吸口部３を備えたアタッチメント本体８を着脱自在に固着し、該管体７とアタッチメント本体８の間にストレーナ５を着脱自在に挟持させている。【選択図】図２
0003186616.tif 000002
【実用新案登録請求の範囲】
【請求項１】
真空掃除機の吸引管に着脱自在に取付けられるアタッチメントであり、吸い込まれる気流の上流側に清掃対象物に臨む吸口部(3)を設け、下流側に前記吸引管に連結される連結部(4)を設けた構成において、
前記吸口部(3)と連結部(4)の間に小粒物(P)の通過を阻止するストレーナ(5)を設けると共に、該ストレーナ(5)と前記吸口部(3)の間に小粒物の滞留室(6)を設けて成ることを特徴とする真空掃除機用アタッチメント。
【請求項２】
円筒形に形成した連結部(4)の上流側に拡径部(10)を形成し、該拡径部の上流側に該拡径部の中心より上方に偏位した位置で扁平広幅状とした吸口部(3)を設けており、
前記拡径部(10)の内部を上下に仕切る仕切壁(11)を設け、該仕切壁の上側に扁平な吸引路(12)を形成すると共に、下側に前記滞留室(6)を形成し、前記吸引路(12)と滞留室(6)をストレーナ(5)の上流側で連通路(13)により連通させて成ることを特徴とする請求項１に記載の真空掃除機用アタッチメント。
【請求項３】
前記連結部(4)を備えた管体(7)に対して、前記拡径部(10)及び吸口部(3)を備えたアタッチメント本体(8)を着脱自在に固着し、
前記管体(7)とアタッチメント本体(8)の間にストレーナ(5)を着脱自在に内装して成ることを特徴とする請求項２に記載の真空掃除機用アタッチメント。
【考案の詳細な説明】
【技術分野】
【０００１】
本考案は、真空掃除機の吸引管に着脱自在に取付けられるアタッチメントに関する。
【背景技術】
【０００２】
従来、真空掃除機における吸引路の先端に着脱自在に取付けられるアタッチメントが提供されている。これらのアタッチメントは、清掃対象物に適するように構成されているが、屋外用又は屋内用の区別を有していない。
【先行技術文献】
【特許文献】
【０００３】
【特許文献１】特開２０１０−２６９１５３号公報
【特許文献２】特開２００６−２１２２０１号公報
【考案の概要】
【考案が解決しようとする課題】
【０００４】
ところで、真空掃除機は、主として屋内の床面等を清掃するために使用されているが、例えば、玄関マットや、自家用車のフロアマット等のように、屋外の清掃対象物を清掃する際にも、真空掃除機を使用するニーズがある。
【０００５】
しかしながら、一般家庭では、屋外専用の真空掃除機を所有することは稀であるから、屋内用に使用している真空掃除機を屋外に持ち出すことにより、前記のようなマット等の清掃対象物を清掃しているのが現状である。
【０００６】
ところが、屋外のマット等の清掃対象物は、砂等の小粒物を含んでおり、しかも、ダニや細菌等に汚染されているおそれがあるので、このような小粒物を吸引し、真空掃除機のゴミ袋に収納したまま屋内に持ち込むことは、衛生上、好ましくない。
【０００７】
従って、衛生上の問題を解決するためには、屋外で清掃を行った後、真空掃除機のゴミ袋を交換した上で、屋内に持ち込むことが望ましいが、煩雑な作業を強いられるだけでなく、不経済である。
【課題を解決するための手段】
【０００８】
本考案は、上記課題を解決した真空掃除機用アタッチメントを提供するものであり、その手段として構成したところは、真空掃除機の吸引管に着脱自在に取付けられるアタッチメントであり、吸い込まれる気流の上流側に清掃対象物に臨む吸口部を設け、下流側に前記吸引管に連結される連結部を設けた構成において、前記吸口部と連結部の間に小粒物の通過を阻止するストレーナを設けると共に、該ストレーナと前記吸口部の間に小粒物の滞留室を設けて成る点にある。
【０００９】
本考案の好ましい実施形態は、円筒形に形成した連結部の上流側に拡径部を形成し、該拡径部の上流側に該拡径部の中心より上方に偏位して扁平広幅状とした吸口部を設けており、前記拡径部の内部を上下に仕切る仕切壁を設け、該仕切壁の上側に扁平な吸引路を形成すると共に、下側に前記滞留室を形成し、前記吸引路と滞留室をストレーナの上流側で連通させている。
【００１０】
更に、本考案の好ましい実施形態は、前記連結部を備えた管体に対して、前記拡径部及び吸口部を備えたアタッチメント本体を着脱自在に固着し、前記管体とアタッチメント本体の間にストレーナを着脱自在に内装している。
【考案の効果】
【００１１】
請求項１に記載の本考案によれば、真空掃除機により玄関マットや自家用車のフロアマット等の屋外の清掃対象物を清掃する場合は、本考案のアタッチメント１を真空掃除機の吸引管２に取付けるだけで、衛生的に好ましくない小粒物Ｐを真空掃除機のゴミ袋に吸引することなくストレーナ５で捕捉し、アタッチメントの滞留室６に滞留させることができるので、清掃作業が終了したときは、アタッチメント１を取外した後に、真空掃除機を屋内に持ち込めば良く、従って、衛生的に好ましくない小粒物が屋内に持ち込まれることを防止できる。
【００１２】
そして、屋外で取外したアタッチメント１は、滞留させられた小粒物Ｐを廃棄し、水洗い等により衛生的に洗浄することが可能である。
【００１３】
請求項２に記載の本考案によれば、扁平広幅状の吸口部３によりマット等の清掃対象物を好適に清掃することができる。そして、吸い込んだ小粒物Ｐを含む吸引気流を扁平な吸引路１２により流速を維持しながらストレーナ５に導くことにより、ストレーナ５を通過する吸引気流の流速を減じるとなく、小粒物Ｐを捕捉することができる。しかも、滞留室６は、吸引路１２から仕切壁１１により隔絶されているので、真空掃除機の吸引力を受け難く、従って、吸口部３を下向き姿勢とした通常の使用方法において、ストレーナ５に捕捉された小粒物Ｐは、好適に滞留室６に向けて落下される。
【００１４】
請求項３に記載の本考案によれば、管体７とアタッチメント本体８を分離することにより、滞留室６に滞留する小粒物Ｐを容易に廃棄することができ、この際、ストレーナ５も分離することができるので、分解状態で各構成部材を容易に洗浄することが可能になる。
【図面の簡単な説明】
【００１５】
【図１】本考案の１実施形態を示す斜視図である。
【図２】本考案の１実施形態の使用状態を示す断面図である。
【図３】本考案の１実施形態における構成部材を分解状態で示す断面図である。
【考案を実施するための形態】
【００１６】
以下図面に基づいて本考案の好ましい実施形態を詳述する。
【００１７】
図１ないし図３に示すように、アタッチメント１は、電気真空掃除機の吸引管２の先端部に着脱自在に取付け可能に構成されており、吸い込まれる気流の上流側に吸口部３を設け、下流側に前記吸引管２に連結されるテーパを備えた円筒形の連結部４を設けている。前記吸口部３と連結部４の間には、小粒物Ｐの通過を阻止するストレーナ５が設けられ、該ストレーナ５と前記吸口部３の間に小粒物Ｐの滞留室６が設けられている。
【００１８】
図示実施形態の場合、アタッチメント１は、前記連結部４を備えた管体７と、前記吸口部３を備えたアタッチメント本体８と、前記ストレーナ５の３個の構成部材から成り、管体７の筒壁７ａとアタッチメント本体８の筒壁８ａを相互に着脱自在に嵌挿すると共に、両筒壁７ａ、８ａにより、ストレーナ５のフランジ５ａを着脱自在に挟持するように構成されている。
【００１９】
前記管体７は、円筒形とされた連結部４から前記筒壁７ａに至り次第に拡径するテーパ部９を備え、該テーパ部９にストレーナ５を収容可能とするように構成されている。
【００２０】
前記アタッチメント本体８は、前記拡径された連結部４のテーパ部９の上流側に連なる拡径部１０を備え、該拡径部１０の上流側に位置して、該拡径部１０の中心よりも上側に偏位した位置に扁平広幅状とした前記吸口部３を設けている。
【００２１】
前記拡径部１０は、仕切壁１１により内部を上下に仕切られ、該仕切壁１１の上側に扁平な吸引路１２を形成すると共に、下側に前記滞留室６を形成し、前記吸引路１２と滞留室６をストレーナ５の上流側で連通させている。つまり、仕切壁１１の端部とストレーナ５の間に位置して、連通路１３が形成されている。
【００２２】
そこで、アタッチメント１は、管体７とアタッチメント本体８を分離させた状態で、管体７のテーパ部９にストレーナ５を挿入した後、前記筒壁７ａ、８ａの嵌合を介して、管体７にアタッチメント本体８を取付けることにより使用可能な状態とされる。
【００２３】
使用するためには、管体７の連結部４を真空掃除機の吸引管２の先端部に差し込むことにより、一般的なアタッチメントと同様の方法で使用される。即ち、真空掃除機を起動させた状態で、扁平広幅状の吸口部３をマット等の清掃対象物の表面に摺擦させることにより、該清掃対象物に付着した異物を吸引する。
【００２４】
この際、吸引気流に含まれた砂等の小粒物Ｐは、ストレーナ５に捕捉され、滞留室６に滞留させられる。図２に示すように、吸口部３の開口部３ａと吸引路１２は、同様の扁平広幅状に形成されているので、吸引気流の流速を維持した状態で、吸引気流をストレーナ５に導くことができる。
【００２５】
このため、吸引気流は、勢い良くストレーナ５を通過し、小粒物Ｐだけがストレーナ５に捕捉される。捕捉された小粒物Ｐは、仕切壁１１により吸引気流の影響を受け難いように構成された滞留室６に向けて進入し、そこで滞留する。図示のように、仕切壁１１の反対側に位置する拡径部１０の壁部を吸口部３に向けて傾斜させることにより、滞留室６の上流側に次第に狭くなるポケット部６ａを形成することが好ましい。
【００２６】
吸口部３から、ストレーナ５を内装したテーパ部９に向かう吸引気流は、真空掃除機の吸引力により生成されるものであるから、吸引路１２と滞留室６を仕切壁１１により隔絶することにより、連通路１３を介して吸引力が滞留室６に及ぶことが好適に防止される。従って、図２に示すように吸口部３を下向き姿勢として使用する通常の使用状態において、ストレーナ５に捕捉された小粒物Ｐは、容易に滞留室６に落下する。
【００２７】
清掃作業が終了したときは、アタッチメント１を吸引管２から取外し、真空掃除機を屋内に持ち込めば良い。従って、衛生的に好ましくない小粒物Ｐは、取外したアタッチメント１の滞留室６に滞留しているので、屋内に持ち込まれることはない。
【００２８】
屋外で取外されたアタッチメント１は、滞留室６から小粒物Ｐを取り出すことにより廃棄した後、水洗い等により衛生的に洗浄すれば良い。この際、管体７とアタッチメント本体８を分離すると共に、ストレーナ５を分離すれば、滞留室６が開放されるので、小粒物Ｐを容易に廃棄することができ、しかも、分解状態とされた管体７と、アタッチメント本体８と、ストレーナ５を容易に洗浄することができる。
【符号の説明】
【００２９】
１  アタッチメント
２  吸引管
３  吸口部
３ａ  開口部
４  連結部
５  ストレーナ
６  滞留室
７  管体
８  アタッチメント本体
９  テーパ部
１０  拡径部
１１  仕切壁
１２  吸引経路
１３  連通路
【図１】
0003186616.tif 000003
【図２】
0003186616.tif 000004
【図３】
0003186616.tif 000005